Podtech/llm-jp-corpus-v4-ja_patent huggingface dataset:
(57)【要約】【課題】足置きがない４本の脚を有する既存の椅子（１）に、椅子（１）に加工を施さず、高さ等を調整可能な足置き（４１）を脱着可能とすることを課題とする。【解決手段】足置き（４１）は、側板（５１及び５２）でゴム・ゲル剤等を介して椅子（１）の脚を挟み、ナット（５４）で締めることで設置後も高さを調整可能な状態で固定する。また、足置き（４１）を安定して設置するため、補助脚（７１）及びアジャスター（７２）を利用者の身長等に応じて任意の組み合わせで脱着可能とする。足を置く天板（５３）は利用者の好みに応じて脱着可能とする。【選択図】図１
2015123153.tif 000002
【特許請求の範囲】
【請求項１】
４本の脚を有する既存の椅子に対して、椅子自体には加工を施さず、１対の側板（５１及び５２）で椅子の２本の前脚を繋ぐように挟み、ナット（５４−２）などの固定手段を脱着することで、椅子への１対の側板（５１及び５２）の脱着を可能とすることを特徴とする既存の椅子へ脱着可能な足置き。    
【請求項２】
椅子の脚への１対の側板の取付け高さ位置が調整可能であることを特徴とする請求項１の既存の椅子へ脱着可能な足置き。    
【請求項３】
天板（５３）を側板から脱着可能とすることを特徴する請求項１の既存の椅子へ脱着可能な足置き。
【請求項４】
補助脚またはアジャスターを天板（５３）または側板から脱着可能であることを特徴とする請求項１の既存の椅子へ脱着可能な足置き。    
【発明の詳細な説明】
【技術分野】
【０００１】
この発明は、既存の椅子の脚に脱着可能で、且つ高さ調整が可能な足置きに関する。
【背景技術】
【０００２】
従来の４本の脚を有する椅子の形状は、椅子前面の脚に足置きがない場合がある。
【先行技術文献】
【特許文献】
【０００３】
【特許文献１】実登３０５８１２４（実願平１０−７６０１）
【発明の概要】
【発明が解決しようとする課題】
【０００４】
先行技術文献における技術は、座部を支持する1本の円形脚を有する形状の椅子に対して、締め付け環を用いて設置する足のせ台であり、円形ではない４本の脚を有する椅子には設置不可である。４本の脚を有する椅子において足置きが存在しない場合、子供など身長の低い利用者は、足が床に届かず正しく安定した姿勢で座わることができない場合がある。この発明の主な目的は、４本の脚を有する既存の椅子に加工を施さず、椅子の前面脚に脱着可能で、利用者の身長等に応じて取付け位置を調整可能な足置きを提供することにある。
【課題を解決するための手段】
【０００５】
以上の課題を解決するために、第一発明は、４本の脚を有する既存の椅子に対して、椅子自体には加工を施さず、脱着可能とすることを特徴とする足置きである。第二発明は、椅子へ取付ける高さの位置が調整可能であることを特徴とする足置きである。第三発明は、利用者の好みの足の置き方に応じて天板（５３）を脱着可能とすることを特徴とする足置きである。第四発明は、足置きを安定させるための補助脚及びアジャスターを利用者の身長等に応じて任意の組み合わせで脱着可能であることを特徴とする足置きである。
【発明の効果】
【０００６】
第一発明、第二発明、第三発明または第四発明によれば、４本の脚を有する任意の椅子に対して、足置きを安定させて設置し、また利用者の身長等に応じて柔軟に設置位置を変更可能とすることで、利用者において足置きに足を置き正しく安定した着席姿勢を保つことが可能となる。
【図面の簡単な説明】
【０００７】
【図１】この発明の一実施形態である足置きの全体斜視図（前面）である。
【図２】足置きの全体図（下面）、補助脚、アジャスターの分解図である。
【図３】補助脚を1本にして設置した足置きの全体斜視図（前面）である。
【図４】天板（５３）を外して設置した足置きの全体斜視図（前面）である。
【図５】丸い形状の脚を有する椅子に設置した足置きの全体図（下面）である。
【発明を実施するための形態】
【０００８】
この発明の一実施形態を図２に示す。椅子（１）の前面脚を、前面側板（５１）と背面側板（５２）で挟みウィングナット（５４−２）を締めることで、前面側板（５１）及び背面側板（５２）が椅子（１）の前面脚に固定される。前面側板（５１）及び背面側板（５２）と椅子（１）との接点面にはゴム・ゲル剤等（５５）が接着されており、前面側板（５１）及び背面側板（５２）と椅子（１）の前面脚との固定を強固にする。また、図２のとおり、椅子（１）と足置き（４１）の間に適当な大きさのウレタン（８０）を挟むことで、足置き（４１）が横方向にずれることを防止する。これらにより利用者は椅子（１）には加工を施さず足置き（４１）を設置し、天板（５３）に足を置くことが可能となる。
【０００９】
この発明足置き（４１）の設置後もウェイングナット（５４−２）を緩めることで、利用者の身長等に応じて足置き（４１）の設置位置（高さ）を変更し、再度ウェイングナット（５４−２）を締めることで足置き（４１）の再設置が可能である。図３は、図１から足置き（４１）の設置位置を変更したこの発明の一実施形態である。
【００１０】
また、足置き（４１）を安定して設置するため、図２における補助脚（７１）及びアジャスター（７２）を天板ナット及び側板ナット（６０及び６１）へ任意の組み合わせで脱着可能とする。図１は補助脚（７１）及びアジャスター（７２）を設置したこの発明の一実施形態である。
【００１１】
なお、利用者の足位置等使い勝手に応じ足置き（４１）から天板（５３）を脱着させることを可能とする。図４は天板（５３）を外したこの発明の一実施形態である。
「実施形態の効果」
【００１２】
この実施形態によれば、側板（５１及び５２）で、ゴム・ゲル剤等（５５）を介して椅子（１）の脚を挟み、ウィングナット（５４−２）を締め本発明足置き（４１）を固定することで、子供など身長の低い利用者において、足置きに足を置き正しく安定した姿勢で座わることが可能となり、また、椅子（１）自体に加工を施さず傷をつけることもない。なお、ウィングナット（５４−２）を背面側板（５２）側に設置することで、利用者の足が位置する前面側板（５１）の側にボルトが突き出ないようにしている。
「他の実施形態」
図５のとおり、ゴム・ゲル剤等（５５）を分厚くする、あるいは他の摩擦力が高く柔軟性のある素材を活用することで、丸い形状の脚を有する椅子（２）においても、この発明である足置き（４１）を設置可能とする。
【符号の説明】
【００１３】
１    椅子（四角脚）    
２   
椅子（丸脚）      
４１  足置き（この発明の一実施形態を示す全体）
５１  前面側板    
５２  背面側板    
５３  天板
５４−１  ボルト   
５４−２  ウィングナット    
５４−３  ワッシャー    
５５  ゴム・ゲル剤等
６０  天板ナット   
６１  側板ナット   
７１  補助脚
７２  アジャスター    
８０  ウレタン
【図１】
2015123153.tif 000003
【図２】
2015123153.tif 000004
【図３】
2015123153.tif 000005
【図４】
2015123153.tif 000006
【図５】
2015123153.tif 000007
(57)【要約】【課題】尿吸収材を必要とせず容易に洗浄可能なペット用トイレを提供することを目的とする。【解決手段】ペット用トイレに関し、特に、トイレ本体をスノコにより上下に区分して、上層部に排泄物処理材を敷設し、下層部に尿吸収材を敷設してなるペット用トイレにおいて、特に尿処理に関し尿吸収材を必要とぜず尿受けトレーを設置することで尿処理を清潔かつ容易に作業する事を可能とした。【選択図】図１
2015123078.tif 000002
【特許請求の範囲】
【請求項１】
本発明はトイレ本体をスノコにより上下に区画して、上層部に排泄物処理材を敷設し、下層部に尿吸収材を敷設してなるペット用トイレにおいて特に下層部の尿吸収材が敷設される引き出し式トレーに尿吸収材に代わる尿受けトレーを設置する形態である
【請求項２】
本発明の尿受けトレーは尿が漏れないような構造形態とする。
【請求項３】
尿受けトレーは水洗いが容易なサイズとなるよう４分割程度としその隣り合わせる尿受けトレーとの隙間から尿が漏れないよう尿受けトレーの片面に傾斜面を設けることが重要である。
【発明の詳細な説明】
【技術分野】
【０００１】本発明はペット用トイレに関し、特に、トイレ本体をスノコにより上下に区分して、上層部に排泄物処理材を敷設し、下層部に尿吸収材を敷設してなるペット用トイレに関する。
【背景技術】
【０００２】例えば、犬や猫などのペットの糞尿を処理するためのペット用トイレとして、トイレ本体を多孔質部材であるスノコにより上下に区分して、上層部に排泄物処理材を敷設し、下層部に例えば吸収性樹脂、植物性繊維、パルプ等からなる尿吸収材を敷設してなるものが知られている（例えば、特許文献１、特許文献２参照）【０００３】これらのペット用トイレにおいては、上層部に敷設された排泄物処理材は、ペットが排泄する尿を素早く通過させ、通過した尿をスノコの透液孔を介して下層部分に落下させ、落下した尿を下層部分に配置された尿吸収マット等の尿吸収材に積極的に吸収させるものである。そして、尿が吸収された尿吸収材は、一定期間毎に交換する必要がある。その交換作業を容易にするものとして、尿吸収材を敷設した下層部のみを引き出し式とする構造が知られている（特許文献３参照）
【先行技術文献】
【特許文献】
【０００４】
【特許文献１】特開平７−６７４８９号公報
【特許文献２】特開２００３−１８０１８２号公報
【特許文献３】実開昭６１−２２４６１号公報
【発明の概要】
【発明が解決しようとする課題】
【０００５】トイレ本体をスノコにより上下に区画して、上層部に排泄物処理材を敷設し、下層部に尿吸収材を敷設してなるペット用トイレにおいて特に下層部の尿吸収材が敷設され、かつ引き出し式構造を有するトイレを対象とする。【０００６】尿の処理を行うために下層部引き出し式トレーに吸収材を敷設し一定期間毎に交換する作業において尿を吸収した吸収材交換時尿による手の汚染が考えられる、また専用工具にて交換する場合には専用工具が必要となる。【０００７】また、尿吸収材にて尿処理を行えば尿を含んだ尿吸収材の廃棄物の発生は必至である。【０００８】さらに、尿吸収材にて尿を処理する事になれば当然、尿吸収材を常備する必要があり費用もかかる。
記憶に新しい東日本大震災においては、尿吸収材製造会社が被災し尿吸収材の入手が一時困難な状況となった。
【課題を解決するための手段】
【０００９】本発明はトイレ本体をスノコにより上下に区画して、上層部に排泄物処理材を敷設し、下層部に尿吸収材を敷設してなるペット用トイレにおいて特に下層部の尿吸収材が敷設される引き出し式トレーに尿吸収材に代わる尿受けトレーを設置する。
【発明の効果】
【００１０】本発明のペット用トイレ尿受けによれば、尿の処理はいかなる尿吸収材も必要としない。【００１１】尿受けトレーにより集溜された尿は速やかに人用トイレにて処理する事が可能である。【００１２】また、排尿を直接尿受けトレーに溜めるため、尿の量、色、匂い等日々の健康チェックが容易に行える。
【図面の簡単な説明】
【００１３】
【図１】本発明の一実施形態に係わるペット用トイレの下層部引き出し式トレーに尿受けトレー（４個）をセットしている斜視図である。
【図２】本発明の一実施形態である尿受けトレーを下層部引き出し式トレーにセットした斜視図である。
【図３】従来技術を示す斜視図である。
【発明を実施するための形態】
【００１４】本発明の好ましい実施形態として、ペット用トイレ下層部の引き出し式トレーに設置する尿受けトレーは水洗い等清掃が容易なサイズである事が望ましい為４分割程度を適当とし図２に示す様に尿受けトレー全体のサイズは引き出し式トレー底面積一杯のサイズであることが望ましい。また、尿受けトレー本体の高さサイズはペット用トイレ下層部の引き出し式トレーの引き出し動作に支障を与えない程度でペット用トイレ下層部の引き出し式トレー開口部よりやや低く設定する必要がある。
【００１５】また、分割したことで隣り合わせる尿受けトレーとの隙間ができない様、隣設する面の片側のみ傾斜面を設ける事が重要である。
【００１６】尿受け本体材質はポリエチレン（ＰＥ），ポリプロピレン（ＰＰ），アクリロニトリループタジェン−スチレン共重合体（ＡＢＳ）、ＰＥＴ樹脂等、合成樹脂から形成されることが望ましい。
【符号の説明】
【００１７】１  ペット用トイレ
２  引き出し式トレー
３  尿受けトレー（４個）
４  傾斜面
５  尿吸収材
【図１】
2015123078.tif 000003
【図２】
2015123078.tif 000004
【図３】
2015123078.tif 000005
(57)【要約】【課題】  植木の刈り込み作業により、切り落とした枝葉を受けるゴミ収集シートにより、植木の刈り込み作業を早く簡単にできる事を目的とする。【解決手段】  ２枚を広げ合わせれば方形になる、１組のゴム材、または、ビニール材からなる長方形のシートの対向する長辺部、中央に直線状にそれぞれ切り込みを設け、切り込みの先端は三角形状のめくれ片が形成された、植木の刈り込み用ゴミ収集シート。【選択図】図１
2015123077.tif 000002
【特許請求の範囲】
【請求項１】
長方形の２枚を広げ合わせ、すき間なく敷き詰めれば方形になるゴム材、または、ビニール材からなるシート（１）、シート（１ａ）のそれぞれ対向する長辺部中心付近より切り込み（２）、切り込み（２ａ）を設けた植木の刈り込み用ゴミ収集シート。
【発明の詳細な説明】
【技術分野】
【０００１】  本発明は、たとえば、植木の木の葉や小枝の剪定刈り込みをします。
すると、木の葉や小枝が植木の根元に落下します。
この木の葉や小枝を簡単に収集できるように工夫した植木の刈り込み用ゴミ収集シートに関するものである。
【背景技術】
【０００２】  従来、植木の刈り込みは、大きな長方形状のシートを植木の根元に広げて敷き、刈り取った木の葉や小枝のゴミをシート上に受けていた。
しかし、１枚のシートを広げても、シートは方形、または、長方形で植木の枝が幹を中心に、３６０°四方に茂っているため、根元が障害になり、枝下全部には半分程度の面積にしか敷くことができなかった。
このため、手間をかけても効果がないので、植木の刈り込みをする人の多くがシートを敷かず、刈り込んで散乱したゴミを熊手や箒を使って掃除をしていた。
【先行技術文献】
【０００３】
【特許文献１】  特開２０００−２３２８２７号公報
【発明の概要】
【発明が解決しようとする課題】
【０００４】  そのため、次のような問題点があった。
（イ）刈り込みをして散乱させた、木の葉や小枝のゴミを熊手や箒を使って掃除をしてい    た。
そのため、片付けをするとき、手間と時間がかかっていた。
（ロ）刈り込みをする植木の枝下にある、地被植物（芝生、サツキ等）の中に散乱したゴ    ミは、掃除が困難で特に手間がかかっていた。
（ハ）松葉、ヒバなど細かい葉ほど掃除が困難で石組の間や、サツキ、芝生の中に散乱し    たゴミは小さな熊手、または、手で掴み出さなければ綺麗にならなかった。
本発明はこれらの問題を解決するためになされたものである。
【課題を解決するための手段】
【０００５】  シートを二枚広げ合わせれば、方形になる、一組のゴム材、または、ビニール材からなる長方形のシート（１）、シート（１ａ）の対向する長辺部、中央付近より双方に直角に切り込み（２）、切り込み（２ａ）を設けた植木の刈り込み用ゴミ収集シート。
【発明の効果】
【０００６】  刈り込みをする植木の枝下にある地被植物の芝生、サツキ、または、玉砂利、小石を敷き詰めた庭園、大きな石組の上にも、本発明のシートを刈り込む前に広げて敷き、刈り込んで落下したゴミは、全部シート上に受けることができる。
そのため、大量のゴミは、熊手等で集め、かごに入れて片付け、残ったゴミはシートの外側を持って包み込んでしまえば軽量のためそのまま処理でき掃除の仕事は、従来の数倍の速さでできる。
手間が省けるので人件費の削減まで可能である。
【図面の簡単な説明】
【０００７】
【図１】  本発明の２枚一組のシートの斜視図である。
【図２】  本発明の使用状態を示した斜視図である。
【図３】  本発明のシートを生垣に使用した状態を示した斜視図である。
【図４】  本発明のシートに面ファスナーを取り付けた斜視図である。
【発明を実施するための形態】
【０００８】  以下、本発明の実施の形態について説明する。
図１は、本発明の２枚１組のシートの斜視図である。
図２は、本発明の使用状態を示した斜視図である。
図３は、本発明のシートを生垣（５）に使用した状態を示した斜視図である。
図４は、本発明のシートに面ファスナー（６）を取り付けた斜視図である。
（イ）２枚を広げ合わせ、すき間なく敷き詰めれば方形になる、長方形のゴム材、または    、ビニール材からなるシート（１）、シート（１ａ）のそれぞれ対向する長辺部の片    側の中心部より直角に切り込み（２）、切り込み（２ａ）を設ける。
（ロ）切り込み（２）、切り込み（２ａ）の先端は、植木の根元（４）に敷き込んだとき    に三角形状のめくれ片（３）、めくれ片（３ａ）が形成され、根元（４）を包む作用    をする。
（ハ）そのため、２枚のシート（１）、シート（１ａ）を敷き詰めれば、大小の幹の太さ    に応じて、めくれ片（３）、めくれ片（３ａ）、めくれ片（３ｂ）、めくれ片（３ｃ    ）が作用して植木が１枚のシートを真ん中から突き破った状態となり、枝下全体を被    い、刈り込んで落下したゴミは完全にシート上に受ける。
（ニ）シート上に落下した木の葉や小枝のゴミは、熊手等で集め籠に入れて処理し、残っ    たゴミはシートに包み込んで処理すれば掃除は完了する。
（ホ）長方形の２枚１組のシート（１）、シート（１ａ）のため、生垣の刈り込みにも使    用でき、その根元の左右両端どちらからでもシート（１）、シート（１ａ）の長辺部    を平行に並べ合わせて敷き込む。
（ヘ）そして、シートを敷き込んだ生垣の一端から刈り込みを始め、１枚目のシート（１    ）上にある生垣を刈り終わった所で、落下したゴミを処理して、そのシート（１）を    残した２枚目のシート（１ａ）に並べ合わせて敷く。
（ト）このため、連続して、１枚、１枚ゴミを処理しながら作業ができるため、効率的で    ある。
【符号の説明】
【０００９】  １  シート
２  切り込み
３  めくれ片
４  植木の根元
５  生垣
６  面ファスナー
【図１】
2015123077.tif 000003
【図２】
2015123077.tif 000004
【図３】
2015123077.tif 000005
【図４】
2015123077.tif 000006
(57)【要約】【課題】ｗｅｂにおいて、文字部分を閲覧者ごとに固有の内容に変化させた画像データをサーバ上に自動生成し（１）、ｗｅｂサイトやＨＴＭＬメールから読み込む（２）ことによって閲覧者がサーバ上の画像を閲覧できる仕組みを提供する。【解決手段】閲覧者の情報を分析・セグメント化し、文字部分を閲覧者固有の内容に変化させた画像データをサーバ上に自動生成すること、各閲覧者はｗｅｂサイトやＨＴＭＬメールから自己の特性に合った閲覧者固有の画像を閲覧できること、の２点を特徴とする。【選択図】図２
2015005261.tif 000002
【特許請求の範囲】
【請求項１】
ｗｅｂにおいて、文字部分を閲覧者ごとに固有の内容に変化させた画像データをサーバ上に自動生成し（１）、発信者が提供するｗｅｂサイトやＨＴＭＬメールから、閲覧者がサーバ上の画像を閲覧できる（２）仕組み。
【発明の詳細な説明】
【技術分野】
【０００１】この発明は、ｗｅｂにおいて発信者が提供する画像データの文字部分を、閲覧者ごとに固有の内容に変化させるターゲティング漫画に関するものである。
【背景技術】
【０００２】従来、発信者が提供していたｗｅｂサイトやＨＴＭＬメールに表示されている画像は、どの閲覧者に対しても固有の情報を含むことはなかった。
【発明の概要】
【発明が解決しようとする課題】
【０００３】これには、以下の欠点があった。
従来、発信者が提供していたｗｅｂサイトやＨＴＭＬメールに表示されている画像は、閲覧者の固有の情報を含むことがないため、閲覧者にとっては表示される画像と自身の嗜好とがマッチせず、提供された画像から有益な情報を得ることはできない場合があった。
本発明は、上記の欠点を解消するためになされたものである。
【課題を解決するための手段】
【０００４】閲覧者の情報を分析・セグメント化し、文字部分を閲覧者ごとに固有の内容に変化させた画像データをサーバ上に自動生成する（１）。自動生成された画像データ（１）をｗｅｂサイトやＨＴＭＬメールから読み込むことで、閲覧者が閲覧できる（２）。
本発明は、以上の構成よりなるターゲティング漫画である。
【発明の効果】
【０００５】（イ）閲覧者は、自分に適した情報をもった画像を受け取ることができる。
【発明を実施するための最良の形態】
【０００６】以下、本発明を実施するための最良の形態について説明する。
任意のデータベース上の不特定多数の閲覧者に対し、ｗｅｂサイトやＨＴＭＬメール等を通じて画像を配信する際、氏名、年齢、趣向などの閲覧者固有のテキスト情報を自動画像化プログラムによって全閲覧者分を画像化する（１）。
画像化されるテキスト情報は、個人情報によるセグメント化や、アクセス動向の解析によって各閲覧者ごとに最適化・固有化されている。
画像ファイル（１）は個々にファイル名が付与され、画像保存用ｗｅｂサーバに保存される。
各閲覧者は発信者が提供するｗｅｂサイトやＨＴＭＬメールに記述されたタグによってｗｅｂサーバ上の画像をダウンロード、自己の特性に合った閲覧者固有の画像を閲覧できる（２）。
本発明は以上の機能をもったプログラムである。
【図面の簡単な説明】
【０００７】
【図１】本発明を利用した配信画像例である。
【図２】本発明のプログラム図解である。
【符号の説明】１  文字部分を閲覧者固有の内容に変化させた画像データをサーバ上に自動生成するプログラム
２  画像を読み込むためのｗｅｂサイトやＨＴＭＬメール
【図１】
2015005261.tif 000003
【図２】
2015005261.tif 000004
(57)【要約】【課題】  電動工具等を使用中に、工具付帯の電源コードに縒りが、かからなく安全且つ能率向上の縒り戻し器を得る。【解決手段】  大、小のベアリング使用の回転式コンセントにおいて、電線に縒りの比重が、かかると、自然にもどける構造を有する縒り戻し器。【選択図】図１
2015005486.tif 000002
【特許請求の範囲】
【請求項１】
電動工具等の使用において、付帯の電源コードを、コンセントに差し込んで使用時に付帯の電源コードにおいて、縒りがかかり電源コードが地絡電流を起こす恐れを防止するため、回転コンセントを設けたことを特徴とするより戻し器。
【発明の詳細な説明】
【技術分野】
【０００１】  本考案は、伝道工具等に付帯の電源コードにおいて、コードを使用中に、縒りがかかるのを防ぐための縒り戻し器である。
【背景技術】
【０００２】  従来より、伝道工具と電源コードの継ぎ手部分において、ビニール系で工具と、コードに被覆している程度で完全に縒りがもどけるように施されてはいない
【先行技術文献】
【特許文献】
【特許文献】公開特許
【０００３】
【特許文献１】特開２００１−２５１７１５
【発明の概要】
【発明が解決しようとする課題】
【０００４】  従来、電動工具を使用中に、工具付帯の電源コードにおいて、縒りがかかりり、コードの根本部分に損傷を起こし漏えい電流が発生し火災、又は、人畜の感電もしくは、電路機器の損傷などの事故に繋がる危険性がある。
【課題を解決するための手段】
【０００５】  大、小のベアリングの使用において、大のベアリングの中央に小のベアリング合体させ、大、小のベアリングの空間に絶縁体リングを設ける、プラグ側は大、小のベアリングの回転しない位置に接続、コンセント側は、小のベアリングの中心の回転する位置に接続し、大のベアリングの外面の回転する位置に接続し、コンセント側が自在に回転することを特徴とする。
【発明の効果】
【０００６】  硬質性を具えた、プラステックで成型し其の形状は楕円形のアダプタに設けたベアリングのコンセント側が作動、コンセントアダプタが自由自在に回転することにおいて、縒りがかかった電源コードが簡単に縒りが戻ることができ、安心感を有し作業に従事することができ、作業の能率も向上する。
【発明を実施するための最良の形態】
【０００７】  以下、  本考案の実施の形態について説明する。
大のベアリング（２）の中心に小のベアリング（１）をはめ込み、大ベアリング（２）と小ベアリング（１）の中間に、絶縁体リング（９）を付設することにおいて、電源のプラス側、マイナス側の絶縁効果とする、プラグ側（４）を小ベアリング（１）の固定側に接続し、大ベアリング（２）の固定側にａプラグ（５）を接続し、両プラグ側を固定する、コンセント側（６）は小のベアリング（１）の中心部に接続回転する、ａコンセント側（７）は大のベアリング（２）の外面部に接続回転する、大のベアリング（２）の外面部分のアダプタ（３）に回転溝（８）を設けることにおいて、回転可能。
【図面の簡単な説明】
【０００８】
【図１】本考案の斜視図
【図２】本考案の正面図
【符号の説明】
【０００９】  １  ベアリング小
２  ベアリング大
３  アダプタ
４  プラグ側
５  ａプラグ側
６  回転コンセント
７  回転ａコンセント
８  回転溝
９  絶縁体リング
【図１】
2015005486.tif 000003
【図２】
2015005486.tif 000004
(57)【要約】      （修正有）【課題】スープをすくって飲む為のレンゲでは、食事として平皿に盛られた炒飯などの食材を綺麗にすくうこと、及び口に入れて上唇で拭うことが困難であった。しかしながら、飲食それぞれに別々の食器を用いるのは、煩わしい扱いとなりえていた。【解決手段】レンゲの機能はそのままに、レンゲすくい部の先端に平坦面１を設け、炒飯などの食材が盛られた平皿の底面に前記すくい部の先端の平坦面１が当接した際に密接するように形成することにより、食材のすくい取りを容易にし、かつ上唇での完全な拭いとりを可能にした。スープなどの飲料はもちろん、炒飯などの食材に対して兼用できる為、飲食の際に食器の持ち替えの手間が省略できる。【選択図】図３
2015223428.tif 000002
【特許請求の範囲】
【請求項１】
すくい部の先端の一部に平坦面を設けた食事用のレンゲであって、前記の平坦面が食材の盛られた皿の平坦な底面に当接した際に、すくい部の先端が前記底面に当接するように形成したことを特徴とするレンゲ。
【請求項２】
前記すくい部の先端の一部の平坦面を、すくい部の外周縁からなる同一上の面に対して２０度〜３０度の傾斜角度で形成したことを特徴とする請求項１記載のレンゲ。
【発明の詳細な説明】
【技術分野】
【０００１】
本発明は、本来のスープをすくって飲む目的に加えて、食事についての使用を容易にするレンゲの特にすくい部の形状に関するものである。
【背景技術】
【０００２】
本来はスープを飲むためのレンゲを、炒飯などの食材を食べるための食器としても提供される外食店が少なくない。レンゲでは平皿に盛られた炒飯などの食材は、最後まで綺麗にすくうことが困難であり、口に入れても上唇で拭いにくく頬張ることが困難であった。
【０００３】
通称「半チャンラーメン」という呼称があるように、ラーメンと炒飯をセットにして販売する例が多くみられる。しかしラーメンにはレンゲ、炒飯にはスプーンとそれぞれに用いることは、店側にはコストアップ、客側には煩わしい扱いとなりえていた。
【先行技術文献】
【特許文献】
【０００４】
【特許文献１】特開２０１４−３３７６７号公報
【発明の概要】
【発明が解決しようとする課題】
【０００５】
スープをすくうレンゲの機能はそのままに、炒飯などの食材もすくい易く食べ易い形状の食器が求められるところであった。
【課題を解決するための手段】
【０００６】
本発明は、前目的を達成するために下記の技術的手段を採用した。
第１に、レンゲすくい部の先端に平坦面を設け、炒飯などの食材が盛られた平皿の底面に前記すくい部の先端の平坦面が、皿の平坦な底面に同一の角度で当接した際に密接するように形成したことを特徴とする請求項１記載のレンゲとしたものである。
【０００７】
第２に、前項で設けた平坦面の角度をすくい部の外周縁からなる同一上の面に対して２０度〜３０度の傾斜角度で形成したことで、炒飯など食材のすくい取りを容易にし、かつ上唇での完全な拭いとりを可能にしたことを特徴とする請求項１または２記載のレンゲとしたものである。
【発明の効果】
【０００８】
本発明のレンゲは、スープなどの飲料及び炒飯などの食材に対して兼用できる為、飲食の際に食器の持ち替えの手間が省略できる。また、食器の提供者には装備の軽減及びメンテナンスにおいてのメリットが生まれる。
【０００９】
また、炒飯などの食材がすくい易く、かつ食器の持ち替えの手間が省略できることで、飲食におけるストレスの軽減となる。
【００１０】
また、本発明のレンゲの製造方法を検討しては、プラスチック、金属、木・竹類及び陶磁器の汎用性のある材質にて容易にかつ安価に製造可能である。
【図面の簡単な説明】
【００１１】
【図１】本発明の実施例を示す平面図である。
【図２】本発明の実施例を示す正面図である。
【図３】本発明の実施例を示す断面図である。
【図４】本発明の実施例を示す断面図である。
【発明を実施するための形態】
【００１２】
以下、本発明の実施例について、図１から図４にもとづいて説明する。
【実施例１】
【００１３】
図１は、本発明の実施例の平面図であって、すくい部縁の最大巾寸法Ｗは、すくい部が無理なく口に入る大きさとし、すくい部先端の縁２の平面形状は食材を盛った円形の平皿の縁及び、曲面の器の内面にもれなく接する為に、曲線を形成する。
【００１４】
図２は、本発明の実施例の正面図であって、すくい部の先端に平坦面１を設けることで、平皿の底面の平坦面に密接することが可能となる。
【００１５】
図３は、本発明の実施例の図１の断面図Ａであって、先端の縁２と左右の縁３で構成されるすくい部の縁は、同一面上に配置されることによって、すくい得るスープの量を最大限にする。すくい部の最大深さＨの寸法は口に頬張った際に、上唇がすくい部底面４に到達出来うる寸法となる。平坦面１が底面４とのとりあう角度Ｘは、食材が引っかからずかつ滑らかに上唇で拭えるもので略２０度〜３０度を形成する。すくい部の左右の縁３と柄５がとりあう角度Ｙは、スープを入れた丼や椀などの深さがある器でも無理なく底に到達し、スープを最大にすくう為に、略２０度〜４０度の角度を形成する。
【００１６】
図４は、本発明の実施例の図１の断面図Ｂであって、すくい部底面４は上唇がもれなく到達する為に曲面で形成する。
【符号の説明】
【００１７】
１  すくい部先端の平坦面
２  すくい部先端の縁
３  すくい部の左右の縁
４  すくい部の底面
５  柄
Ｗ  すくい部縁の最大巾寸法
Ｈ  すくい部の最大深さ寸法
Ｘ  すくい部の平坦面１と底面４がとりあう角度
Ｙ  すくい部の縁３と柄５がとりあう角度
Ａ  図３における切断面の位置
Ｂ  図４における切断面の位置
【図１】
2015223428.tif 000003
【図２】
2015223428.tif 000004
【図３】
2015223428.tif 000005
【図４】
2015223428.tif 000006
(57)【要約】【課題】  本発明は、幼児等が歯磨き中に動き回り、転倒等により、使用中の歯ブラシで口腔内、受傷事故を発生させることが有り、これを減少させるために、転倒等した時の圧力で歯ブラシの柄の内部の芯部分を、安全に破折しやすくすると共に、破折した芯部分が外へ飛び出ないように、芯の外側には柔軟な素材で包むカバー部分を設けた「歯磨き中、転倒時等、口腔内受傷減少歯ブラシ」を提供する。【解決手段】歯ブラシの柄を、内部の芯部分（３）と、外カバー部分（５）の２層構造にして、内部の芯部分（３）には、溝を周囲を回るように彫り、この溝の縁をまるくしたもの（４）、これを数箇所設けて、転倒等した時の圧力で安全に破折しやすい箇所を作っておき、この外側には、破折した芯部分が外へ飛び出ないよう、柔軟な素材で包む、外カバー部分（５）を設けたことを特徴とする。【選択図】図１
2015223495.tif 000002
【特許請求の範囲】
【請求項１】
歯ブラシの柄内部の芯部分（３）には、溝を周囲を回るように彫り、この溝の縁をまるくしたもの（４）、を設けて転倒等した時の圧力で、安全に破折しやすい箇所を作ったことを特徴とする「歯磨き中、転倒時等、口腔内受傷減少歯ブラシ」。
【請求項２】
歯ブラシの柄内部の芯部分（３）の外側には、転倒等した時の圧力で破折した芯部分が外へ飛び出ないよう、柔軟な素材で包む、外カバー部分（５）を設けたことを特徴とする「歯磨き中、転倒時等、口腔内受傷減少歯ブラシ」。
【発明の詳細な説明】
【技術分野】
【０００１】  本発明は、幼児等が歯磨き中に動き回り、転倒等により、使用中の歯ブラシで口腔内、受傷事故を発生させることが有り、これを減少させるために、転倒等した時の圧力で歯ブラシの柄の内部の芯部分を、安全に破折しやすくすると共に、破折した芯部分が外に飛び出ないように、芯の外側には柔軟な素材で包むカバー部分を設けた「歯磨き中、転倒時等、口腔内受傷減少歯ブラシ」に関するものである。
【背景技術】
【０００２】  従来、歯ブラシの柄部に、転倒等した時の圧力で歯ブラシの柄の内部の芯部分を、安全に破折しやすくすると共に、破折した芯部分が外に飛び出ないように、芯の外側には柔軟な素材で包むカバー部分を設けたものは無かった。
【先行技術文献】
【特許文献】
【０００３】
【特許文献１】
【発明の概要】
【発明が解決しようとする課題】
【０００４】  これには次のような欠点があった。
従来、幼児等が歯磨き中に、動き回り転倒等することにより、使用中の歯ブラシで口腔内を受傷する事故を発生させることがあった。
本発明は以上のような欠点をなくすためになされたものである。
【課題を解決するための手段】
【０００５】歯ブラシの柄を、内部の芯部分（３）と、外カバー部分（５）の２層構造にして、内部の芯部分（３）には、溝を周囲を回るように彫り、この溝の縁をまるくしたもの（４）、これを数箇所設けて、転倒等した時の圧力で安全に破折しやすい箇所を作っておき、この外側には、破折した芯部分が外へ飛び出ないよう、柔軟な素材で包む、外カバー部分（５）を設ける。本発明は以上の構成よりなる「歯磨き中、転倒時等、口腔内受傷減少歯ブラシ」である。
【発明の効果】
【０００６】幼児等が歯磨き中に、動き回り転倒等した場合、歯ブラシの柄の内部芯部分（３）には、あらかじめ破折しやすい箇所（４）を設けているので、転倒等した時の圧力で安全に破折することができ、そしてこの外側には芯部分を包む柔軟な素材の、外カバー部分を設けているので、破折した芯部分が外に飛び出ず、使用中の歯ブラシによる口腔内の受傷を減少することができる。
【図面の簡単な説明】
【０００７】
【図１】本発明の斜視図である。
【図２】本発明の分解斜視図である。
【発明を実施をするための形態】
【０００８】以下、発明を実施をするための形態について説明する。
歯ブラシの柄を内部の芯部分（３）と、外カバー部分（５）の２層構造にして、歯ブラシの柄内部の芯部分（３）には、溝を周囲を回るように彫り、この溝の縁をまるくしたもの（４）、を数箇所設けて、転倒等した時の圧力で安全に破折しやすい箇所を作っておき、歯ブラシの柄内部の芯部分（３）の外側には、転倒等した時の圧力で破折した芯部分が外へ飛び出ないよう、軟質合成樹脂等の柔軟な素材で包む、外カバー部分（５）を設ける。
本発明は以上のような構造である。
本発明を使用するときは、外観上は通常の歯ブラシ形状をしているので「歯磨き中、転倒時等、口腔内受傷減少歯ブラシ」の柄を持って通常の歯ブラシを使用するように歯磨きすればよい。
【符号の説明】
【０００９】  １  「歯磨き中、転倒時等、口腔内受傷減少歯ブラシ」
２  歯ブラシ部分
３  柄内部の芯部分
４  柄内部の芯部分に、溝を周囲を回るように彫り、この溝の縁を丸くしたもの
５  柄内部の芯部分を包む外カバー部分
６  柄内部の芯部分が収納される、中空になった部分
【図１】
2015223495.tif 000003
【図２】
2015223495.tif 000004
(57)【要約】【課題】  しょうゆの味の劣化を防ぎ酸化を防止するために、空気に触れないようにする卓上しょうゆ差し。【解決手段】  密閉性を保つつば状ゴムを備えた押し棒を引いて空間を確保した中にしょうゆを入れ、抽出口と安定して置ける脚を一体化しパッキンを備えたキャップを閉めてから押し棒を下から押して内部の残留空気を抜き、抽出口を下にして押し棒を押した分だけ抽出して使用するしょうゆ差し。【選択図】図１
2015223496.tif 000002
【特許請求の範囲】
【請求項１】
密閉性を保つつば状ゴムを備えた押し棒と、抽出口と安定して置ける脚を一体化したパッキンを備えたキャップからなり、このキャップを閉めてから押し棒を下から押して内部の残留空気を抜き、抽出口を下にして押し棒を押した分だけ抽出して使用する卓上しょうゆ差し。
【発明の詳細な説明】
【技術分野】
【０００１】  本発明は、しょうゆの酸化を防ぎ味の変化を軽減するために、空気に触れないようにした密封型の卓上しょうゆ差しに関するものである。
【背景技術】
【０００２】  しょうゆの味の変化を防ぎ酸化を防止するためには、空気に触れないようにする方法が良い。従来市販されるしょうゆは全て防腐剤が入っておりその味の変化を防いでいた。最近は防腐剤が入っていない生しょうゆも出回ってきているが、このしょうゆの専用容器は空気に触れない構造としてまた販売上も優れているが、食卓上に置き、食事を楽しみ雰囲気を大事にするには満足できるものではない。【０００３】  この目的を達成できるものでは注射器が優れている。しかし注射器ではしょうゆを吸い上げて入れなければならない。このためには吸い上げ用のホースが必要となり、しょうゆ容器内に突っ込んで使用しなければならない。このホースのメンテナンスや保管は面倒で、衛生管理上も問題がある。【０００４】  そこで容器にしょうゆを押し棒側から入れようとすると容器内に空気が残り不向きである。またその際に出口を塞いでおく必要がある。さらに注射器では自立して置くことができず、横倒しになってしまう。
【先行技術文献】
【特許文献１】
【０００４】不明
【特許文献】
【非特許文献】
【０００５】
【非特許文献１】なし
【発明の概要】
【発明が解決しようとする課題】
【０００６】  解決しようとする問題点は、しょうゆを押し棒側から容器内に入れて押し棒を挿入すると容器内に空気が残ってしまい、しょうゆが押し出されてしまうことである。また注出口側を下にして立てておくことができないため横倒しになることである。
【発明が解決するための手段】
【０００７】  本発明は、しょうゆを容器内に入れる際に押し棒を下にして容器を使用時と逆の位置に置き、押し棒を適度な位置まで引いておいて、しょうゆを入れるものである。（図２）しょうゆを入れ終わったら抽出口と脚が一体になっているキャップをして、押し棒を下側から少し押して残留空気を抜いてから使用する。使用時には、抽出口が下になり、キャップには脚が一体で設定されているのでそのまま立てて置ける。尚、容器とキャップは透明材料で作成し、しょうゆ、空気、抽出口が確認できるようにする。
【発明の効果】
【０００８】  本発明のしょうゆ差しは、脚付きの抽出口キャップを採用することにより、しょうゆを簡単に入れることができ空気抜きも簡単にできる。さらに横置きにせずに卓上に立てて置ける利点がある。このため卓上に置いても逆さにしたり横に倒して注ぐ必要がないので、真下に滴下できる。抽出口から空気も入らないので酸化を防止し、しょうゆの劣化を防ぐ効果がある。おいしさが持続でき、食卓の雰囲気をそこなうことのないしょうゆ差しが提供できる。またしょうゆを任意の適量を入れることができるため、少ない量でも入れることが可能である。この構造はしょうゆに限らず液状の調味料全般に適用できる。
【図面の簡単な説明】
【０００９】
【図１】  しょうゆ差しの実施方法を示した断面図。
【図２】  しょうゆ差しの実施方法を示した説明図。
【発明を実施するための形態】
【００１０】  両方に突き抜けた筒状の容器の一方につばを有し、もう一方にねじを設ける。このつば側に押し棒を挿入する。押し棒側を下にして、しょうゆを入れキャップをする。キャップには抽出口を下にしたときに自立できるように脚を設ける。またキャップにはパッキンゴムを設け、漏れないようにする。押し棒の先端部にはつば状のゴムがあり、気密性を保ち押し出しができる。
【実施例１】
【００１１】  「実施形態の効果」
この実施形態は、しょうゆを入れる際に漏れも無く、簡単に適量入れることができるもっとも少ない部品構成である。しょうゆは入れたあと空気に触れることがなく、劣化を防ぐことが可能である。
【符号の説明】
【００１２】１  容器本体
２  押し棒
３  キャップ
４  つば状ゴム
５  抽出口
６  キャップパッキン
７  容器ねじ部
８  キャップねじ部
９  押し棒脚部
１０  しょうゆ
【図１】
2015223496.tif 000003
【図２】
2015223496.tif 000004
(57)【要約】【課題】  本発明は、Ｓ字のハンガーには、どうしても衣類のハンガーを複数掛けてしまうが、取り出すとき、重なり合う、衣類を掛けたハンガーを取り出しやすうように工夫した、たくさん掛けられるＳ字ハンガーを提供する。【解決手段】  Ｓ字ハンガー本体（１）の上部にクローゼット内やロッカーのパイプに架ける引っ掛け部（２）を設け、下部にハンガー掛け部（３）を設け、ハンガー掛け部に凹部を設けたことを特徴とするたくさん掛けられるＳ字ハンガー。【選択図】図１
2015223493.tif 000002
【特許請求の範囲】
【請求項１】
Ｓ字ハンガー本体（１）の上部にクローゼットやロッカー内のパイプに架ける引っ掛け部（２）を設け、下部にハンガー掛け部（３）を設け、ハンガー掛け部に凹部を設けた、たたくさん掛けられるＳ字ハンガーである。
【発明の詳細な説明】
【技術分野】
【０００１】  本発明は、Ｓ字のハンガーには、どうしても衣類のハンガーを複数掛けてしまうが、取り出すとき、重なり合う衣類ハンガーを取り出しやすうように工夫し、たくさん掛けられるＳ字ハンガーに関するものである。
【背景技術】
【０００２】  従来、Ｓ字のハンガーはクローゼットの中で、複数の衣類ハンガーを掛けてしまうが、取り出す時には衣類ハンガー同士が重なり合って、外すのが大変だった。
そこで、Ｓ字ハンガーの内側の衣類ハンガーを掛ける所に、衣類ハンガーが一つずつ収まる様に複数の溝のあるものを造り、衣類ハンガーをそれぞれ独立して溝におさまるようにした。
【先行技術文献】
【特許文献】
【０００３】
【特許文献１】  実開平５−６５３４４号公報
【発明の概要】
【発明が解決しようとする課題】
【０００４】  従来より、次の様な問題点があった。
（イ）クローゼットの中で背の低い人が高さを補い、ハンガーを掛けるために使うＳ字ハ    ンガーには、複数のハンガーを掛けてしまうが故に、取り出すとき、ハンガー同士が    重なり合ってしまっていた。
（ロ）目的の衣類を取り出すのに、いちいち一旦、全部ハンガーを外してから、目的のハ    ンガーを取り出さなければならなかった。
【課題を解決するための手段】
【０００５】  Ｓ字ハンガー本体（１）の上部にクローゼット内のパイプに架ける引っ掛け部（２）を設け、下部にハンガー掛け部（３）を設け、ハンガー掛け部に凹部を設ける。
本発明は以上のように構成されたたくさん掛けられるＳ字ハンガーである。
【発明の効果】
【０００６】（イ）クローゼットから目的の衣類を取り出すとき即座にとりだせる。
（ロ）しまう時も独立した入れ場所があることでクローゼットの中が乱雑にならない。
（ハ）衣類ハンガーを掛ける所に、衣類ハンガーが一ずつ収まる溝を設けて掛けると、重    なっていないので目的の物はすぐ取り出せる。
（ニ）ハンガーも、元の溝にすぐ戻せるので、片付くし出かけるときにあわてずに済む。
【図面の簡単な説明】
【０００７】
【図１】本発明の正面図である。
【図２】本発明の他の実施例を示した正面図である。
【発明を実施するための形態】
【０００８】  以下、本発明の実施の形態を説明する。
Ｓ字ハンガー本体（１）の上部にクローゼットのパイプに架ける引っ掛け部（２）を設ける。
Ｓ字ハンガー本体（１）の下部にハンガー掛け部（３）を設け、
ハンガー掛け部（３）に凹部（４）を設ける。
本発明は以上のように構成されたたくさん掛けられるＳ字ハンガーである。
本発明を使用するときは、凹部（４）に衣類の掛かったハンガーを一つずつ収めるとハンガー同士が重なり合うことがなく、衣類を使用するときには、すぐに取り出せる。
図２のように、二つを向い合せるとハート型になるので室内の装飾にもなる。
この様な溝にハンガーを掛ける本体は三角、四角、Ｏ型でもよい。
【符号の説明】
【０００９】  １  Ｓ字ハンガー本体
２  引っ掛け部
３  ハンガー掛け部
４  凹部
５  ハート型に
６  使用図
【図１】
2015223493.tif 000003
【図２】
2015223493.tif 000004
【図３】
2015223493.tif 000005
【手続補正書】
【提出日】平成26年7月7日(2014.7.7)
【手続補正１】
【補正対象書類名】明細書
【補正対象項目名】０００７
【補正方法】変更
【補正の内容】
【０００７】
【図１】  本発明の正面図である。
【図２】  本発明の他の実施例を示した図である。
【図３】  本発明の使用例を示したものである。
(57)【要約】 【課題】自然物（植物）のみを使用し、簡単に製造が可能で、且つ効果的な育毛・養毛を実現する養毛剤を提供する。【解決手段】  水（２）５００ｍｌに対して、表皮を剥いだグミの幹芯（３）を１ｇ以上の比率で加えて数日間放置して製出し、肌の活性化を促すグミ浸漬液（１）に、グミの幹芯（３）を除去し、前記水量に対する重量比が２０ｇ以上となる甘柿の青実（４）をおろしたもの全部（４ａ）、或いは搾ったおろし液を加えて撹拌し、しかる後濾過して製造する。【選択図】図１
2015224186.tif 000002
【特許請求の範囲】
【請求項１】
グミの幹芯を数日間浸漬した水溶液に、甘柿の青実をおろして加え、濾過して製出してなることを特徴とする育毛剤。
【請求項２】
表皮を剥いだグミの幹芯の添加比率が、水５００ｍｌに対して１ｇ以上であり、甘柿の青実の重量比が２０ｇ以上である請求項１記載の育毛剤。
【請求項３】
水５００ｍｌに対して、表皮を剥いだグミの幹芯を１ｇ以上の比率で加えて数日間放置し、前記浸漬液からグミの幹芯を除去した後に、甘柿の対重量比で２０ｇ以上となる青実１個をおろしたもの全部、或いは搾ったおろし液を加えて撹拌し、しかる後濾過してなることを特徴とする育毛剤の製造方法。
【発明の詳細な説明】
【技術分野】
【０００１】
本発明は、頭皮及び毛髪に塗布して発毛を助長して薄毛を解消することを目的とした育毛剤及びその製造方法に関するものである。
【背景技術】
【０００２】
薄毛や抜け毛の対応としては、毛母細胞の活性化が必要であり、その手段として頭皮を刺激し頭皮を正常な状態に回復させることによって新しい頭髪の成長を促進させるために、従前より種々の育毛剤が提案されている。
【０００３】
特に育毛剤として副作用の心配が少ない植物のエキスを使用することが知られている。例えば特許文献１（特開平６−９２８２３号公報）には、コンフリー、アロエ、柿、笹等の葉、茎、根毛、実を乾燥粉砕して粉末し煎じ、煎汁を適宜な薬液に混合する育毛培養促進液が開示されている。また特許文献２（特開平１１−１９９４４９号公報）には、干し柿、イチジクの実、熊笹の葉、松の葉、イチョウの実を別個に煮て抽出したエキスを混合した育毛剤が開示されている。
【先行技術文献】
【特許文献】
【０００４】
【特許文献１】特開平６−９２８２３号公報。
【特許文献２】特開平１１−１９９４４９号公報。
【発明の概要】
【発明が解決しようとする課題】
【０００５】
育毛剤として植物が含有する成分を使用する手段が知られているが、当該植物を加熱処理してエキスを抽出して使用するものであり、その製造が煩瑣であった。本件発明は、簡単なエキス抽出手段を採用すると共に、従前使用されていない特定の植物が発毛に効果があることを知見し、新規な育毛剤を提供したものである。
【課題を解決するための手段】
【０００６】
本発明に係る育毛剤は、グミの幹芯を数日間浸漬した水溶液に、甘柿の青実をおろして、濾過して製出してなることを特徴とするものである。
【０００７】
また本発明に係る育毛剤の製造方法は、水５００ｍｌに対して、表皮を剥いだグミの幹芯を１ｇ以上の比率で加えて数日間放置し、前記浸漬液からグミの幹芯を除去した後に、重量比が２０ｇ以上となる甘柿の青実をおろしたもの全部、或いは搾ったおろし液を加えて撹拌し、しかる後濾過してなることを特徴とするものである。
【０００８】
前記の育毛剤は、グミの幹芯の浸漬液を長期間塗布し続けると肌のシミを消すなどの皮膚の活性化（新陳代謝の促進）を行い、甘柿の青実のおろし液が毛根を刺激し新しい毛髪の成長を助長するもので、前記育毛剤を適宜期間頭部に振り掛け適宜なマッサージを施すことにより、薄毛個所は増毛状態となり、禿個所は新たな毛が生える。
【発明の効果】
【０００９】
本発明は上記の通りで、従前は育毛成分として柿の葉含有成分のみが注目されていたが、甘柿の青実のおろし液が大きな育毛効果を備えることを見出し、特に皮膚の活性化に効果があるグミの幹の浸漬液が皮膚自体を活性化することに着目し、両者の混合液によって薄毛個所はもちろん禿個所にも育毛効果を奏する育毛剤を提供できたものである。
【図面の簡単な説明】
【００１０】
【図１】本発明の製造過程の説明図。
【発明を実施するための形態】
【００１１】
次に本発明の実施形態について説明する。本発明の育毛剤は、グミの幹を数日間浸漬した水溶液に、甘柿の青実をおろして加えて濾過したもので、その製造方法は、最初にグミ浸漬液（１）を製出する。
【００１２】
グミ浸漬液（１）は、水（２）に対して、表皮を剥いだグミの幹芯（３）を加えて数日間浸漬して製出する。グミの幹芯（３）の量は、水（２）５００ｍｌに対して１ｇ以上で１ｇの場合は４〜５日間程度、グミの幹芯（３）の量を増量した場合は増量に応じて少ない日数の浸漬で良い。
【００１３】
次に、グミの幹芯（３）を取り出したグミ浸漬液（１）に対して、甘柿の青実（４）をすり下ろして加える。甘柿の青実（４）は、前記の５００ｍｌに対して１個（約２０ｇ以上）を使用する。直接すりおろし液（４ａ）を加えずに、布越しで搾った液を使用しても良い。但し甘柿以外の渋柿では、育毛効果を邪魔する不要な水溶性物資が加わると考えられ、また熟柿では有効成分が得られない。
【００１４】
グミ浸漬液（１）に、甘柿の青実（４）のすりおろし液（４ａ）を加え混合した後に、濾過すると、液状の育毛剤（５）が得られる。
【００１５】
前記の実施例（５００ｍｌに対して１ｇのグミの幹芯と２２ｇの甘柿の青実を使用した例）の育毛剤は、１日に一回５ｃｃ（ペットボトルのキャップ１杯分程度）を薄毛の箇所や禿ている個所に塗布し、軽くマッサージを施してすり込むことを繰り返すと、個人差はあるが、約３カ月程度ではっきりと増毛が自覚でき、また禿ている個所には産毛を確認できた。
【００１６】
このように自然物（植物）のみを原材料とした育毛剤で、効果的な養毛、育毛を実現でたきものである。
【符号の説明】
【００１７】
１    グミ浸漬液
２    水
３    グミの幹芯
４    甘柿の青実
４ａ  甘柿の青実のおろし液
５    育毛剤
【図１】
2015224186.tif 000003